(57)【要約】      （修正有）【課題】防汚効果が極めて高く、フォークリフトなどの重量物のタイヤ痕等がつきにくい床材の表面仕上げ構造を提供する。【解決手段】床面基材として樹脂性基材を配し、その表面にテトラエトキシシラン及びエテルポリシリケートを少なくとも含有する仕上げ剤よりなる表面層を設ける。該仕上げ剤は、固形分が２５％以上の有機・無機ハイブリッドコーティング剤であり、テトラエトキシシラン及びエチルポリシリケートが２７％以上であり、残りが３−メトキシ−３−メチル−１−ブタノールから構成される。【選択図】図３
0003159109.tif 000002
【実用新案登録請求の範囲】
【請求項１】
有機・無機のコーティング剤であり、テトラエトキシシラン及びエチルポリシリケートを少なくとも含有すコーティング剤であり、塗布する基材の最上面が樹脂からなり、該最上面に、床材の仕上げ面として使用することを特徴とする床仕上げ剤。
【考案の詳細な説明】
【技術分野】
【０００１】  本考案は、工場のフォークリフトが行き交う床の仕上げ剤、公共の乗り物の床仕上げ剤に関するものであり、防滑性能が極めて高く、油汚れなどが簡単に取れ、傷が付き難く、靴底のゴム跡などが簡単に取れ、フォークリフト等のタイヤ痕が付き難く、取れ易い床仕上げ剤を提供するものである。
【背景技術】
【０００２】  従来、床仕上げ剤としてウレタンコーティング剤やシリコンコーティング剤が知られているが、フォークリフトなどの重量物のタイヤ痕がブレーキ時、回転時、スタート時等に表れ見栄えが悪いばかりでなく、除去が極めて困難であった。また、電車や地下鉄電車等の公共の乗物の出入り口付近での靴底のゴム跡などがみばえを損ねていた。
これらを解決するために光硬化性コーティング組成物として特開平０７−０６２２６６（特許文献１）が提案されているが、工場などの室外使用が想定されていないため、上記の解決には至っていない。また、摩耗表面の仕上げ剤の発明が特開平０５−１４８４５３として、酸加水分解のケイ酸塩を酸加水分解のシリコン・カップリング剤、エポキシ単量体、光開始剤およびシリコーン油界面活性剤と混合して塗料組成物を生成し、乾燥してアルコール／水溶液を除去して、紫外線で硬化するもの（特許文献２）が提案されているが、痕跡の付着の簡易な除去についての言及がない。【０００３】
【特許文献１】特開平０７−０６２２６６号公報
【特許文献２】特開平０５−１４８４５３号公報
【考案の開示】
【考案が解決しようとする課題】
【０００４】  本考案は、従来の問題点に鑑み案出されたものであり、構造が簡単で安価で防汚効果が極めて高く、かつ付着した場合の除去が簡単であり、フォークリフトのタイヤ痕の付き難い床仕上げ剤を提供するものである。
【課題を解決するための手段】
【０００５】  本考案は、有機・無機のコーティング剤であり、テトラエトキシシラン及びエチルポリシリケートを少なくとも含有すコーティング剤であり、塗布する基材の最上面が樹脂からなり、該最上面に、床材の仕上げ面として使用することを特徴とする床仕上げ剤である。エポキシ樹脂系の塗り床やウレタン樹脂系の塗り床の仕上げ剤として使用するものであり、溶剤系・無溶剤系（水性を含む）のものの仕上げ剤としても利用できるものである。
【考案を実施するための形態】
【０００６】  本考案の床仕上げ剤の塗布方法について説明する。
▲１▼掃除機やクリーナーにより施工面の汚れやごみ等を除去する。
▲２▼塗り床の表面をアルコール類、エステル類、ケトン類、アルカリ類、炭化水素類等で脱脂する。
▲３▼乾燥
▲４▼乾燥後、柄のついたモップ、メラミンスポンジ、マイクロモップ、刷毛、ウエス、ローラー、又はスプレー等で塗布
以上が施工方法であるが、塗り床自体の工法には関係なく使用できるものであるが、その最上面が樹脂性のものであることが必要である。
【０００７】  以上のようにしてなる床仕上げ剤は、換気の良い場所で保管することが望ましく、必要に応じて施錠して保管することが望ましい。
【０００８】  また、床仕上げ剤は、固形分が２５％以上の有機・無機ハイブリッドコーティング剤であり、テトラエトキシシラン及びエチルポリシリケートが２７％以上であり、残りが３−メトキシ−３−メチル−１−ブタノールから構成されるものである。
【０００９】  施工実例に基づいて説明すると、図１は、電車の乗降部分の室内側の斜視図であり、中央部の床面は本考案の施工部分であり、右下部分は、未施工部分であり、靴痕が確認できるように施工部分は靴痕が除去されていることが分かる。また、図２は図１の８ヶ月経過後の拡大図であり、図１と同様に未施工部分（図面左側）は靴などのゴムの擦れ痕が確認されるが施工部分（図面右側）は確認されず８ヶ月経過後も施工時点と遜色がない。図３は他の施工例を示す斜視図であり、工場の床に施工し、３か月後の斜視図であるが、上述と同様に施工部分のフォークリフトのタイヤ痕は確認できない。
【考案の効果】
【００１０】  本考案の床仕上げ剤は防滑性が優れており、油汚れが簡単に除去できるばかりでなく、傷がつきにくく靴底のゴム跡などが付着した場合も簡単に取れ、フォークリフトのような重量物によるタイヤ痕がつきにくく、また取れ易いものであり、実用価値大なるものである。
【図面の簡単な説明】
【００１１】
【図１】本考案の施工例を示す斜視図である。
【図２】本考案の施工例を示す図１の拡大図である。
【図３】本考案の他の施工例を示す斜視図である。
【図１】
0003159109.tif 000003
【図２】
0003159109.tif 000004
【図３】
0003159109.tif 000005
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
床材の表面仕上げ構造であり、テトラエトキシシラン及びエチルポリシリケートを少なくとも含有す仕上げ面層と、樹脂基材層からなることを特徴とする床材構造。
【手続補正３】
【補正対象書類名】明細書
【補正対象項目名】０００１
【補正方法】変更
【補正の内容】
【０００１】  本考案は、工場のフォークリフトが行き交う床の仕上げ剤、公共の乗り物の床仕上げ剤の床材構造に関するものであり、防滑性能が極めて高く、油汚れなどが簡単に取れ、傷が付き難く、靴底のゴム跡などが簡単に取れ、フォークリフト等のタイヤ痕が付き難く、取れ易い床仕上げ剤の床材構造を提供するものである。
【手続補正書】
【提出日】平成22年2月21日(2010.2.21)
【手続補正１】
【補正対象書類名】実用新案登録請求の範囲
【補正対象項目名】全文
【補正方法】変更
【補正の内容】
【実用新案登録請求の範囲】
【請求項１】
床材の表面仕上げ構造であり、テトラエトキシシラン及びエチルポリシリケートを少なくとも含有する仕上げ面層と、該仕上げ面層の下面に樹脂基材層の二層からなることを特徴とする床材構造。
【手続補正２】
【補正対象書類名】明細書
【補正対象項目名】０００１
【補正方法】変更
【補正の内容】
【０００１】      本考案は、工場のフォークリフトが行き交う床の仕上げ剤、公共の乗り物の床仕上げ剤の床材構造に関するものであり、防滑性能が極めて高く、油汚れなどが簡単に取れ、傷が付き難く、靴底のゴム跡などが簡単に取れ、フォークリフト等のタイヤ痕が付き難く、取れ易い床仕上げ剤の床材構造を提供するものであり、さらに詳しくは床材の表面仕上げ構造であり、テトラエトキシシラン及びエチルポリシリケートを少なくとも含有する仕上げ面層と、該仕上げ面層の下面に樹脂基材層の二層からなる床材構造を提供するものである。